(57)【特許請求の範囲】
【請求項１】
開いた先行端と、閉じた追従端と、その先行端及び追従端の間の一つ以上の側壁とを有し、当該側壁はフレキシブルな膜を備え、かつ、当該側壁と前記追従端が実質的に水を通さないものであるコッドエンド部分と、
先行端と、追従端と、その先行端と追従端の間の一つ以上の側壁とを有し、前記側壁の少なくとも主要部分が実質的に水を通さないフレキシブルな膜を備える細長い伸張部分であり、当該伸張部分の追従端が前記コッドエンド部分の先行端に有効に接続された伸張部分と、を備え、
前記細長い伸張部分は、装置が水体内に沈んで装置に対する水流が生じた際に、装置の内部で前記細長い伸張部分の先行端から当該細長い伸張部分の追従端に向かい、かつ前記コッドエンド部分の追従端に向かう水流速に全体的な低減を生じさせるために、装置の内部から装置の外部へ、所望のサイズより小さい水生動物と水を通過させることができる複数の逃がし機構を備える、
水生動物を捕獲するための装置。
【請求項２】
前記複数の逃がし機構は、
前記装置が水体内に沈んで装置の内外に水流が生じた際に、当該装置に対するコッドエンド部分内の平均水速度が装置外部の相対水速度の１０％未満であるように構成された請求項１に記載の装置。
【請求項３】
前記逃がし機構は前記フレキシブルな膜に形成される請求項１に記載の装置。
【請求項４】
少なくとも一つの逃がし機構は、前記細長い伸張部分の単一の側壁、又は複数の側壁の中の一つに設けられたスリットを備える請求項１に記載の装置。
【請求項５】
少なくとも一つの逃がし機構は、前記細長い伸張部分の単一の側壁、又は複数の側壁の中の一つに設けられたスロット又は他の開口を備える請求項１に記載の装置。
【請求項６】
前記細長い伸張部分が逃がし機構部分を備え、当該逃がし機構部分の上方領域が複数の逃がし機構を備え、当該逃がし機構部分の下部領域が複数の逃がし機構を備え、前記逃がし機構部分の２つの対向する側部領域が実質的に水を通さず、かつ、前記細長い伸張部分は直列に配列される複数の伸張モジュールを備え、各伸張モジュールは先行端及び追従端を備える請求項１に記載の装置。
【請求項７】
前記複数の伸張モジュールは、装置の内部から装置の外部へ、所望のサイズより小さい水生動物と水を通過させることができる複数の逃がし機構を備える第１の逃がし機構モジュールを含む請求項６に記載の装置。
【請求項８】
前記複数の伸張モジュールは、実質的に水を通さない拡張モジュールを更に備える請求項７に記載の装置。
【請求項９】
前記複数の伸張モジュールは、装置の内部から装置の外部へ、所望のサイズより小さい水生動物と水を通過させることができる複数の逃がし機構を備える第２の逃がし機構モジュールを更に備え、前記拡張モジュールが前記第１及び第２の逃がし機構モジュールの間に配置される請求項８に記載の装置。
【請求項１０】
前記第１の逃がし機構モジュールは第２の逃がし機構モジュールの前方に配置され、前記第１の逃がし機構モジュールにおける前記複数の逃がし機構は前記第２の逃がし機構モジュールにおける前記複数の逃がし機構より大きい請求項９に記載の装置。
【請求項１１】
当該装置が水体内に沈んで装置に対する水流が生じた際に、前記逃がし機構によって提供される総開口区域が前記伸張部分の総壁領域の５％未満となるように構成された請求項１に記載の装置。
【請求項１２】
当該装置が水体内に沈んで装置に対する水流が生じた際に、逃がし機構によって提供される総開口区域が前記伸張部分の先行端の正面領域の６０％未満となるように構成された請求項１に記載の装置。
【請求項１３】
前記コッドエンド部分は、当該装置がその先行端からボート上に引き上げられたときに当該コッドエンド部分の中の水生動物が水中に保持され、保護されるように構成された請求項１に記載の装置。
【請求項１４】
その先行端から水体を通して曳かれることにより自身で膨らむように構成されている請求項１に記載の装置。
【請求項１５】
開いた先行端を除く部分が実質的に水を通さないコッドエンド部分と、
前記コッドエンド部分と有効に接続され、当該コッドエンド部分の開いた先行端の前方に位置する逃がし機構モジュールであって、当該逃がし機構モジュールが開いた先行端、開いた追従端、及び当該開いた先行端と当該開いた追従端との間の壁部分とを備え、当該壁部分がフレキシブルな膜を備え、当該膜の少なくとも主要部が実質的に水を通さず、当該壁部分のフレキシブルな膜の中に複数の逃がし機構が形成されており、前記逃がし機構を通って装置の内部から装置の外部へ所望のサイズより小さい水生動物を通過させることのできる逃がし機構モジュールとを備え、
装置が水体内に沈んで装置に対する水流が生じた際に、前記逃がし機構モジュールの先行端から当該逃がし機構モジュールの追従端に向かい、かつ前記コッドエンド部分の追従端に向かう前記装置の中の水流速に減少を生じさせるために、装置の内部から装置の外部に前記逃がし機構を通って水が通過できる、
水生動物を捕獲するための装置。
【請求項１６】
請求項１又は請求項１５に記載の装置を水体内に沈ませ、当該装置に相対して前記逃がし機構を通過する水流が生じ、細長い伸張部分又は逃がし機構モジュールの先行端から当該細長い伸張部分又は当該逃がし機構モジュールの追従端に向かい、かつコッドエンド部分の追従端に向けて当該装置内部の水流速が全体的に低減するように当該装置を配置し及び／又は移動させるステップと、
当該装置内部の水生動物に緩やかな低流速環境を提供している間に、当該装置内の水生動物を捕獲し、かつ所望のサイズより小さい水生動物が前記逃がし機構を通って逃げるのを許容するステップと、
を備える水生動物を捕獲するための方法。
【請求項１７】
水体を通して前記装置を曳くことを含む請求項１６に記載の方法。
【請求項１８】
前記装置の複数の逃がし機構は、
前記装置の内外に流速が生じた場合に、
前記コッドエンド部分内部に、前記装置に対して、当該装置外部の相対的な水の速度の１０％未満の水の速度を発生させる請求項１６に記載の方法。
【請求項１９】
コッドエンド部分が水溜りを包含し、その水溜りの中に水生動物が存在する状態で、前記装置の先行端が動物の放出エリアに達するまで又は超えるまで、その先行端から当該装置を持ち上げるステップを更に含む請求項１６に記載の方法。
【請求項２０】
前記装置が持ち上がるに連れて、少なくとも所望のサイズの水生動物をコッドエンド部分内に流し戻すことを更に含む請求項１９に記載の方法。
【請求項２１】
前記コッドエンド部分の追従端を上げて、それにより水及び動物を前記装置から流出させることを更に含む請求項１９に記載の方法。
【請求項２２】
前記放出エリアは海洋船舶の上である請求項１９に記載の方法。
【請求項２３】
水生動物を捕獲するための装置の組立方法であって、
開いた先行端、閉じた追従端、及び当該先行端と当該追従端の間の一つ以上の側壁を有し、当該側壁はフレキシブルな膜を備え、かつ、当該側壁及び当該追従端が実質的に水を通さないコッドエンド部分を提供するステップと、
先行端、追従端、及び当該先行端と当該追従端の間の一つ以上の側壁を有し、当該側壁の少なくとも主要部が実質的に水を通さないフレキシブルな膜を備え、かつ、当該側壁を通る複数の逃がし機構を備える第１の逃がし機構モジュールを提供するステップと、
当該装置が沈められて当該装置に対する水流が生じた際に、前記逃がし機構を通って当該装置の内部から当該装置の外部に水が通過することができ、当該装置の内部で前記逃がし機構モジュールの先行端から当該逃がし機構モジュールの追従端に向かい、かつ前記コッドエンド部分の追従端に向かう水流速が全体的に低減することとなり、また、前記逃がし機構を通って装置の内部から装置の外部へ所望のサイズより小さい水生動物を通過させることができるように、前記第１の逃がし機構モジュールの追従端を前記コッドエンド部分の先行端に有効に接続して装置を形成するステップと、
を備える水生動物を捕獲するための装置の組立方法。
【請求項２４】
装置の内部から装置の外部へ、所望のサイズより小さい水生動物を通過させることができる複数の逃がし機構を有する第２の逃がし機構モジュールを提供すること、及び、前記第２の逃がし機構モジュールの先行端を前記第１の逃がし機構モジュールの追従端に有効に取り付け、かつ、第２の逃がし機構モジュールの追従端を前記コッドエンド部分の先行端に対して有効に取り付けて、前記第２の逃がし機構モジュールを前記第１の逃がし機構モジュールと前記コッドエンド部分の間に位置させることを含む請求項２３に記載の方法。
【請求項２５】
実質的に水を通さない拡張モジュールを提供すること、及び、前記拡張モジュールの先行端を前記第１の逃がし機構モジュールの追従端に有効に取り付け、前記拡張モジュールの追従端を前記第２の逃がし機構モジュールの先行端に有効に対するに取り付けて、前記拡張モジュールを前記第１の逃がし機構モジュールと前記第２の逃がし機構モジュールの間に位置させることを含む請求項２４に記載の方法。
【発明の詳細な説明】
【技術分野】
【０００１】
本発明は、水生動物を捕獲するための装置及び方法に関する。一の実施形態においてその装置及び方法は水生動物の底引き網捕獲に適している。その装置は水生動物の保管及び処理に適していてもよい。
【背景技術】
【０００２】
漁網及び底引き網のような水生動物の捕獲装置は、伝統的に、ボートなどの曳航船により水中で曳かれるネットを備えている。そのネットは、口部、伸張部、及び後端の「コッドエンド」を備えている。
【０００３】
伝統的に、そのネットは、高強度であり、かつ水に対して高い多孔性を有するように設計されている。曳航の際には、ネットの全長を通ってかなりの量の水が流れ、そして、その流れによって水生動物がネットの後端の「コッドエンド」に向けて移送される。その動物は、コッドエンドの中に保持されるか、又は伸張モジュール或いはコッドエンドメッシュの開口を通って掃出される。捕獲される水生動物のサイズは、ネットにおけるネッティング又はメッシュの等級に依存し、ネット口径より小さな水生動物は、通常、ネットを通過して逃げることができる。
【０００４】
ネットが水中で曳かれる際に生ずる抵抗は、動物を疲弊させるように作用する乱流をネット内に発生させる。これらの内部水流のパターンは、保持された捕獲高の量により変化する。消耗した動物は継続的に、お互いに、またメッシュに接触してのたうち回ることになる。メッシュより十分に小さい生物体でさえ、メッシュの子縄、或いは他の生物体との接触によりしばしば損傷を受ける。その動物間の接触は、ネットが満ちるに連れて増加する。コッドエンドが動物で満ちるに連れて、コッドエンドの前方で圧力波が引き起こされ易くなり、コッドエンドの前で動物がネットに押し入れられることになる。これによりしばしばネット内の魚は動けなくなり、又は絡まり合った状態となる。絡まり合った魚は損傷を受けるだけでなく、除去のために多大な労働力を必要とする。
【０００５】
底引き網は最も一般的にはダイヤモンドネット構造を備えるが、正方形メッシュを備えるものもある。ダイヤモンドメッシュは、それらが空であるとき、又はネットのコッドエンド内の一塊の魚に起因するテンションの下での「ネック」ダウンの際につぶれる傾向がある。メッシュがつぶれると、小さな魚が逃げられなくなり、無用な混獲量が増加してしまう。正方形のメッシュは、テンションの下でより寸法的に安定であるため有利ではあるが、ダイヤモンドメッシュ構造に比して高価であり、かつ、機械的に寛容ではない傾向がある。
【０００６】
従来のメッシュシステムでは、最終的に脱出できた水生動物さえ、しばしば非生存可能な損傷及び消耗の程度を被ることになる。
【０００７】
通常、従来のネットが水中で長く曳かれるほど、捕獲された動物が被る損傷が大きくなる。従って、従来のネットは、魚或いは他の水生動物を連続した期間中良好な状態に保持することができず、そのためネットはしばしば空にすることが必要とされる。
【０００８】
従来のネットが水からボート上に引っ張り上げられるときに、ネットから水が排出されるに従って、魚が、互いにまたボートの端に更に衝突することがあり、捕獲物に対する損傷が更に悪化する。この組織の損傷は、捕獲された生物体の用途及び価値を制限してしまう。幾つかの魚場では、捕獲物の５０％超が目的物でなかったり、或いは処分されてしまったりすることが珍しくない。動物達の相互の衝突はまた、それら捕獲動物にストレスを与えることになる。このストレスは、自己溶解の損傷物を生じさせ、捕獲物の質を低下させることから望ましいものではない。食肉処理においては、屠殺前に動物に与えるストレスを最小にすることが肉質の改善に繋がることが公知である。
【０００９】
加えて、捕獲物が従来のネットの中で船上に搬送された場合、捕獲物はネットの隙間から露出する。捕獲物の一部はネットから逃れ出し、鳥、あざらし、アシカ、サメそしてオットセイなどの捕食動物及び清掃動物を引きつける。
【００１０】
堅牢な又はフレキシブルな鉄格子又は格子を用いて底引き網の選択性を強化する試みがこれまでも行われてきている。これらの格子は、テンションの下でもつぶれることがないという利点を一般的に有してはいるが、動物間の、又は動物とネットの接触を減少させることはなく、従って、捕獲物に対する損傷を低減させることはない。
【００１１】
ＷＯ２００８／０６４９３９は、コッドエンドのネットの等級で捕獲する魚の最小サイズを決定する底引き網装置を開示している。そのコッドエンド部分は、種の識別による逃がし機構を含んでいる。そのネットは、その逃がし機構の外へ魚を導いて、逃がし機構近傍の水の流速を高める内部傾斜路を含んでいる。ネット装置の流速には、テーパー状の底引き網の口部における牽引速度の１００％からコッド部分端部における６０％への小さな減少がある。ネットを拡張状態に保つためには流体力学的な凧が用いられている。
【００１２】
再びこの装置において、上記の逃がし機構から放出されなかった魚は、ネットの中に維持され、ネットの端部に追いやられる。ネットが魚で一杯になるに連れて、魚は、互いに及びネットに対して押し付けられる。また、ネットが水からボート上に引き上げられると、魚は互いに更にぶつかり合うことがある。
【００１３】
ＷＯ２００４／０３２６１６は、トローリングの中央又は底で用いる不浸透性の閉端を有する底引き網を開示している。その底引き網は、標準のトロール部に装着する円筒状のネット部で構成されている。そのネット部の端部は、外部リングによって形状が保たれた不浸透性の閉端である。ネットが船のデッキに引き上げられ、この不浸透性の端部が水溜りの中に魚を捕獲しておくことができる一方、その装置は閉じた円筒端に戻る夥しい水流速を有し、これにより、トローリングの間に不浸透性閉端の前方のネット部分に対して魚が押し付けられる。
【００１４】
ＵＳ６８８３２６５号は、既に捕獲された生きた魚の輸送用バッグを開示している。そのバッグは、水本体の表面に沿って又はその近くで曳かれる。そのバッグは、水が浸透しない材料で作られた円筒状の管部分を含んでいる。バッグは、バッグの入口及び出口をカバーするメッシュ領域を有している。バッグの先端及び後端にあるメッシュ領域のため、そのバッグは水生動物の収穫には適していないと思われる。そのバッグは、輸送の間に魚を収納し続けるために設計されている。そのバッグはまた、バッグを拡張した状態に維持しておくためにバッグリング又は他の装置を必要とする。バッグを通る水流速はバッグの長さに沿って一定である。
【００１５】
ＵＳ２，７２１，４１１は、捕らわれた魚を捕獲して曳航するために取り付けられた実質的に不浸透な壁を有する硬いコンテナに取り入れる開終端を伴う底引き網を開示している。フレキシブルな不浸透性のフラップがコンテナの口に設けられており、コンテナが一杯になると魚が逃げるのを防ぐためにそのフラップが降下する。上記の硬いコンテナはコンテナを通した「放水」を容易にするための大きさとされた多数の開口を含む。それらの開口はブロッキングの傾向があり、また、堅い装置は扱いが難しく、かつ、海洋船上で扱うには危険を伴うことがある。ＵＳ２，７２１，４１１のネットにおいては、コンテナへの進入に隣接して夥しい水流が生じ易い。その流れは魚をネットに押し付け、捕獲物に損傷を与える。
【００１６】
従って、捕獲される水生動物の質を改善するために、水生動物に対する物理的損傷と捕獲のプロセスに含まれるストレスの双方を最小にしつつ、水生動物を捕獲することのできる装置及び方法が必要である。
【００１７】
本明細書においては、特許明細書、他の外部文書、又は他の情報源が参照されているが、これは一般に本発明の特徴を説明するための内容を提供することが目的である。特に他の言及がされない場合は、この種の外部文書又はこの種の情報源の参照は、如何なる管轄においても、この種の文書又はこの種の情報源が本発明の分野における従来技術又は周知技術の一部を形成することを承認するものとして解釈されるべきものではない。
【発明の概要】
【発明が解決しようとする課題】
【００１８】
本発明の少なくとも一の好適な実施形態の目的は、上述した不利益の少なくとも１つを解決する水生動物の捕獲装置及び方法を提供し、及び／又は少なくとも公衆に有用な選択を提供することである。
【課題を解決するための手段】
【００１９】
本発明の第１の態様によれば、水生動物を捕獲するための装置が提供され、その装置は、
開いた先行端と、閉じた追従端と、その先行端と追従端の間の一つ以上の側壁とを有し、当該側壁はフレキシブルな膜を備え、かつ、当該側壁と前記追従端が実質的に水を通さないものであるコッドエンド部分と、
先行端と、追従端と、その先行端と追従端の間の一つ以上の側壁とを有し、前記側壁の少なくとも主要部分が実質的に水を通さないフレキシブルな膜で構成された細長い伸張部分であり、当該伸張部分の追従端が前記コッドエンド部分の先行端に有効に接続された伸張部分と、を備え、
前記細長い伸張部分は、装置が水体内に沈んで装置に対する水流が生じた際に、装置の内部で前記細長い伸張部分の先行端から前記コッドエンド部分の追従端に向かう水流速に全体敵意な低減を生じさせるために、装置の内部から装置の外部へ水を通過させることができる複数の逃がし機構を備える。
【００２０】
前記装置は、当該装置が水体内に沈んで装置に対する水流が生じた際に、装置に対するコッドエンド部分内の平均水速度が装置外部の相対水速度流の凡そ１０％未満であるように構成されることができる。前記装置は、当該装置が水体内に沈んで装置に対する水流が生じた際に、装置に対するコッドエンド部分内の平均水速度が装置外部の相対水速度流の凡そ５％未満であるように構成されることができる。
【００２１】
一の実施形態においては、前記逃がし機構は前記フレキシブルな膜に形成される。
【００２２】
少なくとも一つの逃がし機構は、前記細長い伸張部分の単一の側壁、又は複数の側壁の中の一つに設けられたスリットを備えてもよい。スリットは、湾曲していてもよく、及び／又は、抗裂開口を当該スリットの各先端に備えていてもよい。或いは又は加えて、少なくとも一つの逃がし機構が、前記細長い伸張部分の単一の側壁、又は複数の側壁の中の一つに設けられたスロット又は他の開口を備えていてもよい。
【００２３】
前記細長い伸張部分が逃がし機構部分を備え、逃がし機構部分の上方領域が複数の逃がし機構を備え、逃がし機構部分の下部領域が複数の逃がし機構を備え、前記逃がし機構部分の２つの対向する側部領域が実質的に水を通さないものであってもよい。加えて又は或いは、前記細長い伸張部分が逃がし機構部分を備え、当該逃がし機構部分の上方領域が実質的に水を通さず、当該逃がし機構部分の下部領域が実質的に水を通さず、当該逃がし機構部分の２つの対向する側部領域が複数の逃がし機構を備えていてもよい。
【００２４】
前記細長い伸張部分が、直列に配置された複数の伸張モジュール、例えば、２、３、４、５又はより多くの伸張モジュールを備え、夫々の伸張モジュールが先行端及び追従端を有していてもよい。
【００２５】
前記複数の伸張モジュールは、複数の逃がし機構を備える第１の逃がし機構モジュールを含むことができる。伸張モジュールは、実質的に水を通さない拡張モジュールを更に備えることができる。一の実施形態では、複数の逃がし機構を備える第２の逃がし機構モジュールを更に備え、前記拡張モジュールが前記第１及び第２の逃がし機構モジュールの間に配置される。更なる実施形態では、前記第１の逃がし機構モジュールは第２の逃がし機構モジュールの前方に配置され、前記第１の逃がし機構モジュールの複数の逃がし機構は前記第２の逃がし機構モジュールの複数の逃がし機構より大きい。前記伸張モジュールは、メッシュ形であるか又は開口を有するが、魚のための逃がし機構を備えていない拡張モジュールを含むことができる。
【００２６】
一の実施形態において、各伸張モジュールは、複数の伸張モジュールについて実質的に同じである平均横断内部寸法を有する。好ましくは、コッドエンド部分は、複数の伸張モジュールについてのそれと実質的に同じ平均横断内部寸法を有する。更なる実施形態では、前記伸張部分の一又は複数の側壁及び／又は前記コッドエンド部分の一又は複数の側壁は、装置の拡張時に実質的に平行である。更なる実施形態において、前記細長い伸張部分及び／又は前記コッドエンド部分の一又は複数の側壁は、装置の拡張時に実質的に円筒状である。
【００２７】
前記コッドエンド部分の追従端は、装置の拡張時に内部から見て凹となってもよい。
【００２８】
前記細長い伸張部分は、実質的に水を通さない一つ以上の壁を有するテーパー状のエントリーコーンを備えることができ、当該エントリーコーンは前記伸張部分の口部を定める先行端と追従端を備え、当該エントリーコーンの内部寸法は前記追従端の内部寸法より大きくてもよい。
【００２９】
好ましい実施形態において、前記コッドエンド部分の一又は複数の側壁及び前記細長い伸張部分はフレキシブルであり、当該装置は折り畳み可能かつ拡張可能である。
【００３０】
前記装置は、当該装置が水体内に沈んで装置に対する水流が生じた際に、逃がし機構によって提供される総開口区域が前記伸張部分の総壁領域の５％未満となるように構成することができる。一の実施形態では、逃がし機構によって提供される総開口区域が伸張部分の総壁領域の凡そ３％未満である。
【００３１】
一の実施形態では、前記装置は、当該装置が水体内に沈んで装置に対する水流が生じた際に、逃がし機構によって提供される総開口区域が前記伸張部分の先行端の正面領域の約６０％未満となるように構成される。
【００３２】
一の実施形態では、前記逃がし機構が、所望のサイズより小さい水生動物が装置の内部から装置の外側へ当該逃がし機構を通って通過できるように構成される。
【００３３】
一の実施形態では、前記コッドエンド部分は、その先行端からボート上へ装置が引き上げられたときに当該コッドエンド部分の中の水生動物が水中に保持され、保護されるように構成される。
一の実施形態では、前記装置は、その先行端から水体を通して曳かれることにより自身で膨らむように構成されている。
【００３４】
本発明の第二の態様によれば、水生動物を捕獲するための装置であって、
開いた先行端を除く部分が実質的に水を通さないコッドエンド部分と、
前記コッドエンド部分と有効に接続され、当該コッドエンド部分の先行端の前方に位置する逃がし機構モジュールであって、当該逃がし機構モジュールが開いた先行端、開いた追従端、及び当該開いた先行端と当該開いた追従端との間の壁部分とを備え、当該壁部分がフレキシブルな膜を備え、当該膜の少なくとも主要部が実質的に水を通さず、当該壁部分のフレキシブルな膜の中に複数の逃がし機構が形成されている逃がし機構モジュールとを備え、
装置が水体内に沈んで装置に対する水流が生じた際に、前記逃がし機構モジュールの先行端から前記コッドエンド部分の追従端に向かう前記装置の中の水流速に減少を生じさせるために、装置の内部から装置の外部に前記逃がし機構を通って水が通過できるものが提供される。
【００３５】
前記第二の態様に係る装置は、上記の第１の態様に関して概説された特徴の何れかの一つ以上を有することができる。
【００３６】
本発明の第三の態様によれば、水生動物を捕獲するための方法であって、
上記の第一又は第二の態様に関して概説されたように装置を水体内に沈ませ、装置に対する水流が生ずるように、かつ、細長い伸張部分の先行端からコッドエンド部分の追従端に向けて装置内部の水の流速が全体的に低減するように当該装置を配置し及び／又は移動させるステップと、
装置内部の水生動物に緩やかな低流速環境を提供している間に、当該装置内の水生動物を捕獲するステップと、
を備える方法が提供される。
【００３７】
前記方法は、水体を通して装置を曳くことを含むことができる。或いは、前記方法は、例えば川のような流水体の中に装置を配置して、装置を静止状態に保つことを含むことができる。
【００３８】
前記方法は、前記コッドエンド部分内部に、装置に対して、装置外部の相対的な水の速度の約１０％未満の水の速度を発生させることを含むことができる。一の実施形態では、前記方法は、前記コッドエンド部分内部に、装置に対して、装置外部の相対的な水の速度の約５％未満の水の速度を発生させることを含む。
【００３９】
一の実施形態では、前記方法は、所望のサイズより小さい水生動物が逃がし機構を通って逃げるのを許容することを含む。
【００４０】
前記方法は、水生動物を水溜りの中のコッドエンド部分に維持した状態で、装置の先行端が動物の放出エリアに達するまで又は超えるまで、その先行端から装置を持ち上げるステップを更に含んでもよい。装置が持ち上がるに連れて少なくとも所望のサイズの水生動物はコッドエンド部分内に流れ戻ることができる。一の実施形態において、前記方法は、コッド部分の追従端を上げて、それにより水及び動物を装置から流出させることを更に含む。
【００４１】
前記放出は、海洋船舶の船上で行ってもよい。
【００４２】
前記方法は、ドラムの周りで装置を萎ませて巻き取ることを更に含んでもよい。
【００４３】
本発明の第四の態様によれば、水生動物の捕獲装置を組み立てる方法であって、
開いた先行端、閉じた追従端、及び当該先行端と当該追従端の間の一つ以上の側壁を有し、当該側壁はフレキシブルな膜を備え、かつ、当該側壁と前記追従端が実質的に水を通さないコッドエンド部分を提供するステップと、
先行端、追従端、及び当該先行端と当該追従端の間の一つ以上の側壁を有し、当該側壁の少なくとも主要部が実質的に水を通さないフレキシブルな膜を備え、かつ、当該側壁を通る複数の逃がし機構を備える第１の逃がし機構モジュールを提供するステップと、
装置が沈められて装置に対する水流が生じた際に、装置の内部から装置の外部に水が通過することができ、装置の内部で前記逃がし機構の先行端から前記コッドエンド部分の追従端に向かう水流速が全体的に低減するような装置が形成されるように前記第１の逃がし機構モジュールの追従端を前記コッドエンド部分の先行端に有効に接続するステップと、
を備える方法が提供される。
【００４４】
前記組み立て方法は、複数の逃がし機構を有する第２の逃がし機構モジュールを提供すること、及び、前記第２の逃がし機構モジュールの先行端を前記第１の逃がし機構モジュールの追従端に有効に取り付け、かつ、第２の逃がし機構モジュールの追従端を前記コッドエンド部分の先行端に対して有効に取り付けて、前記第２の逃がし機構モジュールを前記第１の逃がし機構モジュールと前記コッドエンド部分の間に位置させることを含んでもよい。更なる実施形態では、前記方法は、実質的に水を通さない拡張モジュールを提供すること、及び、前記拡張モジュールの先行端を前記第１の逃がし機構モジュールの追従端に有効に取り付け、前記拡張モジュールの追従端を前記第２の逃がし機構モジュールの先行端に有効に対するに取り付けて、前記拡張モジュールを前記第１の逃がし機構モジュールと前記第２の逃がし機構モジュールの間に位置させることを含む。
【００４５】
隣接するモジュールと前記コッドエンドは、隣接モジュールを縫い合わせることによって有効に取り付けられることができる。
【００４６】
前記第三の態様に係る方法の実施形態において提供される前記コッドエンド部分、前記逃がし機構モジュール、及び／又は前記拡張モジュールは、前記第一の態様に係る装置に関して説明した上記特徴の何れかを一つ以上も含むことができる。
【００４７】
本願明細書において、開示された数値の範囲（例えば１〜１０）の参照は、その範囲内の全ての合理的数値（例えば１、１．１、２、３、３．９、４、５、６、６．５、７、８、９及び１０）の参照と、その範囲内の如何なる合理的数値の範囲（例えば２〜８、１．５〜５．５及び３．１〜４．７）の参照をも組み込むことが意図されており、従って、本願明細書中に明示された全ての範囲に属する全ての下位範囲は、これにより明示的に開示されたものである。これらは特に意図されたことがらの例示に過ぎず、列挙された最小値と最大値の間の数値の全ての可能な組合せは同様の手法において本願明細書において明示されていると考慮されるべきである。
【００４８】
本発明に関する当業者にとって、構造における数多くの変更、並びに幅広く異なる本発明の実施形態及び応用は、それら自身を、添付の請求の範囲に記載の本発明の技術的範囲の内部で示唆している。本願明細書における開示及び記述は、単なる例示であり如何なる感覚においても限定をいとするものではない。本発明に関わる従来技術において等価物として知られている特定の完成体に本願明細書中が言及している場合、そのような既知の等価物は個別に表されているものとして本願明細書に組み込まれているものと考えられる。
【００４９】
本願明細書において用いられる「を備える（comprising）」の用語は「少なくとも部分的に〜から成る」を意味する。即ち、「を備える」を含む本願明細書中の文章を解釈する際には、各文章のこの用語に先行する特徴の全ての存在が必要であるが、他の特徴もまた存在することが可能である。「備えている（comprise）」及び「備わっている（comprised）」のような関連語は、これと同様の方法で解釈する。
【００５０】
本明細書で使用しているように、名詞の後に続く「(s)」の用語は、その名詞の複数形及び／又は単数形を意味する。
【００５１】
本明細書で使用しているように、「及び／又は」の用語は「及び」又は「又は」、或いは前後関係が許す場合にはそれら両方を意味する。
【００５２】
本発明は、前述において成り、そして、以下に例示だけを挙げる構造を想定している。
【図面の簡単な説明】
【００５３】
以下、添付の図面を参照して例示の手法においてのみ本発明を説明する。
【図１】本発明の第１の実施形態に係る装置の後部鳥瞰斜視図である。
【図２】図１の装置の側面図である。
【図３】図２の側面図であり、装置の典型的な寸法を示す。
【図４】図１乃至図３の装置の分解側面図である。
【図５】図１乃至図４の装置におけるエントリーコーンと案内伸張モジュールの補強を示す部分斜視図である。
【図６】図５のエントリーコーンと案内伸張モジュールの補強における接続ループを示す部分分解図である。
【図７】図６及び図５のエントリーコーンと案内伸張モジュールの間の接続を示す拡大部分斜視図である。
【図８】伸張部分のエントリーコーンを形成し、伸張モジュールに接続するための補強ブランクを示す。
【図９】図８の詳細９の拡大図である。
【図１０】逃がし機構モジュールの一部上の逃がし機構の様々な例の形状を示す斜視模式図である。
【図１１】装置の内圧の結果、使用中に開いた波状のスリット逃がし機構を示す部分斜視図である。
【図１２】装置の内圧の結果、使用中に開いた直線状のスリット逃がし機構を示す部分斜視図である。
【図１３】図１３は、スイープ翼に取り付けられて海洋船舶の後方で水体の中で曳かれている図１乃至図３の装置を模式的に示す鳥瞰斜視図である。
【図１４】使用中の装置の内部及び周囲の垂直面における流れのパターンを例示するストリームラインを伴う図１乃至図３の装置の左舷側面図である。
【図１５】使用中の装置の左舷半分の内部及び周囲の水平面における流れのパターンを例示するストリームラインと破断された装置の左舷半分とを伴う図１乃至図３の装置の上部破断図である。
【図１６】使用中の装置の内部及び周囲における流速の異なる領域を例示する等高線を伴う図１乃至図３の装置の左舷側面図である。
【図１７】使用中の装置の左舷半分の内部及び周囲における流速の異なる領域を例示する等高線と破断された装置の左舷半分とを伴う図１乃至図３の装置の上部破断図である。
【図１８（ｉ）】図１８(i)乃至図１８(iv)は使用中の装置の内部及び周囲における流速の異なる領域を例示する等高線を伴う図１乃至図３の装置に渡る断面図である。図１８(i)は第１の逃がし機構モジュールを通る図３のA-A線に渡って得られる。
【図１８（ｉｉ）】拡張モジュールを通る図３のB-B線に渡って得られる図である。
【図１８（ｉｉｉ）】第２の逃がし機構モジュールを通る図３のC-C線に渡って得られる図である。
【図１８（ｉｖ）】コッドエンド部分を通る図３のD-D線に渡って得られる図である。
【図１９】装置の入口の前方２ｍの点から、３ノット（１．５４４ｍｓ−１）で水中を曳かれる図１乃至図１８に示す装置の縦方向の中心軸線に沿って流速と内圧を示したグラフである。
【図２０】装置に沿った様々な点における、３ノット（１．５４４ｍｓ−１）で水中を曳かれる図１乃至図１８に示す装置の直径に渡る内部流速を示したグラフである。黒塗りの三角と共に示される線は垂直横断に沿って図３に示されるA-A平面に渡って得られたものである。黒塗りの丸と共に示される線は水平横断に沿って図３に示されるC-C平面に渡って得られたものである。中空の丸と共に示される線は垂直横断に沿って図３に示されるC-C平面に渡って得られたものである。そして、中空の三角と共に示される線は図３に示されるD-D平面に渡って得られたものである。
【図２１】本発明の実施の形態２の装置の後部鳥瞰斜視図である。
【図２２】使用中の装置の内部及び周囲の垂直面における流れのパターンを例示するストリームラインを伴う図２１の装置の左舷側面図である。
【図２３】使用中の装置の左舷半分の内部及び周囲の水平面における流れのパターンを例示するストリームラインと破断された装置の左舷半分とを伴う図２１の装置の上部破断図である。
【図２４】海洋船舶上へ本発明に係る装置から捕獲した獲得物を回収するための好ましい実施形態の第一ステップを示す後方斜視図である。
【図２５】捕獲した獲得物を回収する方法の第二ステップを示し、かつ、海洋船舶に関する装置の位置を示す側面図である。
【図２６】図２５の詳細Ｂの拡大を示す側面図である。
【図２７】図２６に対応する後方斜視図である。
【図２８】図２４乃至図２８の方法の第三ステップを示す後方斜視図である。
【図２９】実験的な曳航において図１乃至図４の装置を用いて獲得したホウボウ及びニュージーランドスナッパーの体長のグラフである。
【図３０】比較の曳航において５インチメッシュのコッドエンドを装着した従来の底引き網を用いて獲得したホウボウ及びニュージーランドスナッパーの体長のグラフである。
【図３１】図１乃至図４の装置を用いて獲得した魚のサンプルにおけるひれ損傷率を、５インチメッシュのコッドエンドを装着した従来の底引き網を用いて獲得した魚のサンプルと比較して示したグラフである。
【発明を実施するための形態】
【００５４】
図１乃至図７は、本発明の実施形態に係る水生動物の収穫装置１を例示している。図示される実施形態において、装置１は、例えば、ホキ（hoki）、金目鯛、スナッパー、トレバリ（trevally）、ホウボウ、カマス又はカレイのような魚、イカのような軟体動物、及び／又はカニのような甲殻類を捕獲するために、遠洋又は海底で曳かれるトローリング装置として構成される。図１乃至図７は、使用に際して拡張された構成の装置を示している。好ましい形態において、装置１は、従来の底引き網におけるメッシュのコッドエンドを置き換えている。
【００５５】
本装置は。開いた先行端２ａ、閉じた追従端２ｂ、及びその先行端と追従端の間に伸びている一つ以上の側壁２ｃを有する追従コッドエンド部分２を備えるモジュール式のバッグ１である。本装置は更に、コッドエンド部分２の開いた先行端２ａに有効に接続している開いた追従端３ｂと、装置の開口を形成する開いた先行端３ａとを有する細長い伸張部分３を備えている。
【００５６】
伸張部分３の先行端３ａは、装置１に水生動物を導くために、図１３に示すように拡散的スイープ翼６３及び／又はネットの胸部６５に有効に接続される。スイープ翼６３は、次に、ケーブル６１などの手法によりボートのような曳航海洋船舶５１に有効に接続される。本装置１は、曳航船５１によって水体の中を曳き方向Ｔに向けて曳かれるように構成されている。スイープ翼６３及びケーブル６１は、従来の設計とすることができる。本発明の装置１は、スイープ翼及びケーブルを含むトローリング装置の全体として提供されることができ、或いは、装置を既存の底引き網のスイープ翼又は胸部と有効に接続することにより既存の底引き網に新規部品として追加導入されることができる。本装置を、例えば水中又は海底のトローリングのような異なる目的に適応させるためには、必要に応じてアダプタ部分を用いることができる。
【００５７】
細長い伸張部分３は、エントリーコーン５と、直列に接続された３つの伸張モジュール６、７、８を備えている。エントリーコーン５は、伸張部分の先行端３ａに置かれる。エントリーコーンは、装置の開口を形成する開いた先行端５ａと、第１の伸張モジュール６の先行端６ａに接続される追従端５ｂを備えている。エントリーコーン５の壁(s)５ｃは、装置１が水を通して曳かれるに連れて伸張モジュール６、７、８に水及び動物を導くために、先行端５ａから追従端５ｂに向けてテーパーが付けられている。そして、コッドエンド２、エントリーコーン５及び伸張モジュール６、７、８は、装置１が拡大されると同軸に構成される。
【００５８】
各伸張モジュール６、７、８は、開いた先行端６ａ、７ａ、８ａ、開いた追従端６ｂ、７ｂ、８ｂ、及び夫々の先行端と追従端の間に伸びる一つ以上の壁６ｃ、７ｃ、８ｃを有している。第１の伸張モジュール６の先行端６ａは、エントリーコーン５の追従端５ｂに有効に接続している。第２の伸張モジュール７の先行端７ａは、第１の伸張モジュール６の追従端６ｂに有効に接続している。同様に、第３の伸張モジュール８の先行端８ａは第２の伸張モジュール７の追従端７ｂに有効に接続しており、また、その追従端８ｂはコッドエンド部分２の先行端２ａに有効に接続している。
【００５９】
コッドエンド部分２の側壁２ｃ及び追従端２ｂは、実質的に水を通さないものであり、また、好ましくは全く水を通さないものである。エントリーコーン及び伸張モジュールは、少なくとも側壁５ｃ、６ｃ、７ｃ、８ｃの主要部分が実質的に水を通さないものである。好ましい実施形態においては、コッドエンド部分２の追従端２ｂの封止はローリングコッドエンド部分壁(s)２ｃにより達成され、次いで壁２の外面上にチェーンステッチで補強材料が締め付けられる。
【００６０】
コッドエンド、エントリーコーン及び伸張部分の壁２ｃ、３ｃ、５ｃ、６ｃ、７ｃ、８ｃは、しぼみ構成と膨張又は拡張構成との間で装置１が折り畳み可能及び拡張可能であるようにフレキシブルでもある。空の装置は、例えば、畳んだ状態でボートに保存されると思われる。水の流れが本装置の縦軸と実質的に平行であるように本装置が水体内で曳かれると、内部水圧により本装置に自動的に膨張する。
【００６１】
装置が拡大されると、伸張モジュール６、７、８及びコッドエンド２の側壁部分又は側壁２ｃ、６ｃ、７ｃ、８ｃは実質的に平行となる。本装置１の内圧の下で、それら壁の部分は、図示の通り、即ち、壁の部分が内部から見て凹となるように、外側へしなり又は突き出す。装置が拡大されると、コッドエンド２及び細長い伸張部分３は（エントリーコーンを除いて）実質的に円筒状となる。代替の実施形態においては、コッドエンド２及び／又は伸張部分３は装置が拡張されているときに、円形の断面を有するのではなく、楕円で又は多角形構成のような異断面構成を有することができる。例としては、伸張部分は、装置が拡大されたときに、実質的に正方形、矩形、六角形、又は八角形の断面構成を有することができる。
【００６２】
図１に示すように、本装置が拡大された際にコッドエンド部分の追従端２ｂは、少なくとも部分的に内部から見て凹であってもよい。
【００６３】
エントリーコーン５、伸張モジュール６、７、８及びコッドエンド２は、分離可能であることが好ましい。これにより、様々な伸張モジュールを置換、追加、又は除去することにより本装置を特定の応用に適合させるためのカスタマイズが可能となる。図３及び４は、本装置１の様々なセクション５、６、７、８、２の典型的な寸法を示す。図４は、切り離された装置１の様々なセクション５、６、７、８、２を示す図１乃至図２の装置の分解図である。一の実施形態において、３つの伸張モジュール６、７、８は、寸法的に等価で、各々約２０４０ｍｍの長さＬ６、Ｌ７、Ｌ８を有している。コッドエンド２、伸張モジュール６、７、８、及びエントリーコーンの追従端５ｂは、約１４６０ｍｍの直径Ｄ２を有している。図示される実施形態では、エントリーコーンは１６３７ｍｍの長さＬ５を有し、本装置の口部を形成しているその先行端５ａの直径Ｄ１は約１８７０ｍｍである。これらの寸法は例示であり、本装置１の使用に応じて、又は、例えば容量増加のために、修正することができる。一の例示的実施形態では、伸張部分３及びコッドエンド２の最大直径は、曳航船上のデッキの幅、及び／又は本装置１を扱うためのローラー又はドラムのような搭載器材により制限される。
【００６４】
図示される実施形態では、先行及び追従の伸張モジュール６、８は、夫々のモジュール壁６ｃ、８ｃに複数の開口９、１０を備える逃がし機構モジュールである。これらの開口９、１０は、水体を通してＴ方向に本装置１が曳かれる際に細長い伸張部分の先行端３ａからコッドエンド部分２ｂの追従端の方へ向かう装置内部の水流速度を低下させるために、装置の内部から装置の外部に水を通過させることができる逃がし機構９、１０を形成する。
【００６５】
図示される実施形態では、第２の伸張モジュール７は、拡張モジュールである。拡張モジュール７の壁７ｃはいかなる逃がし機構も含まないので、本装置が方向Ｔに水を通して曳かれる際の拡張モジュール７の先行端７ａへの流速は拡張モジュール７の追従端７ｂからの流速と実質的に同じになる。
【００６６】
コッドエンド部分と伸張モジュールの壁２ｃ、６ｃ、７ｃが実質的に水を通さないことにより、コッドエンドから水が流れ出る能力は、逃がし機構モジュール(s)から水が流れ出る能力に比して十分に小さいものであり、また、逃がし機構部の壁６ｃ、８ｃから流れ出る水の能力は、逃がし機構９、１０から流れ出る水の能力に比して十分に小さなものである。
【００６７】
一の実施形態において、コッドエンド、エントリーコーン及び伸張モジュールの側壁２ｃ、３ｃ、５ｃ、６ｃ、７ｃはフレキシブルな膜４を備えている。好ましくは、それらの側壁２ｃ、３ｃ、５ｃ、６ｃ、７ｃは、ＰＶＣ又はリップストップＰＶＣ、セイル（sail）作成用のファブリック、織式ナイロンのエアバッグファブリック、ポリエステル、又はポリエチレンのような水を通さない材料を備える。幾つかの実施形態では、織式のカスタムモジュールを用いてもよい。好ましい実施形態では、各伸張モジュール及びコッドエンド部分２は、ブランクの２つの対向縁を接合することにより矩形のブランクで構成される。上記の縁は、縫い付け、ジッパー、側部同士の結びつけ、或いは他の適当な締結手段により接合すればよい。エントリーコーンは、組み立てた際に円錐台形状となるブランクを用いる他は、上記同様に構成される。エントリーコーン５を形成するためのブランクは図８及び詳細図である図９に示される。
【００６８】
エントリーコーン５、伸張モジュール６、７、８、及びコッドエンド２は、本装置を強化するために長手方向及び円周方向の補強要素を備えている。図５乃至図７は、エントリーコーン５及び第１の伸張モジュール６上の補強ストリップ１１、１３の形式での補強を示す。この実施形態では、エントリーコーン５は、９つの円周方向補強ストリップ１３と複数の長手方向補強ストリップ１１を備える。第１の伸張モジュール６は、７つの円周方向補強ストリップ１３と複数の長手方向補強ストリップ１１を備える。第２及び第３の伸張モジュール７、８並びにコッドエンド２は、同様の方法で補強される。円周方向補強ストリップ１３は本装置が曳かれる際に膨らんだ装置１の周方向応力を受け持ち、また、長手方向補強ストリップ１１は引っ張り応力を受け持つ。本装置は、加えて、複数のより強度の高い長手方向ストリップを引っ張りストリップ（図示せず）として備えてもよい。例示的な実施形態では、夫々６トンに見積もられ、伸張部分３及びコッドエンド部分２の長さに沿って配置される３〜４本のストリップ１２を備えている。これらのストリップは、本装置を曳いて取り扱うにあたって従来の引っ張りポイントを提供する。
【００６９】
図８及び９は、エントリーコーンモジュール５を形成するためのブランクを例示している。膜壁５ｃは、横方向／円周方向補強ストリップ１３及び長手方向補強及び引っ張りストリップ１１、１２によって、その外面において補強されている。長手方向ストリップ１１ｂの端は、図６及び７に示すように隣接する伸張モジュールを取り付けるためのループを形成するためにループ状に折り返しておくことができる。横方向補強ストリップ１３ａ、１３ｂの端は、エントリーコーン５を形成するべく２つの対向側端５ｄ、５ｅを一緒に縫い合わせるために、同様に、ループ状に折り返しておくことができる。２つの側端５ｄ、５ｅの間の縫い合わせ結合を改善するために、追加のループ部材１４を設けてもよい。
【００７０】
コッドエンド部分２は、本装置が曳かれる際及び回収される際にコッドエンド部分に加わる追加の負荷を受け持つために伸張部分３に比して大きな範囲で補強されることが望ましい。例示的な好ましい実施形態において、円周方向補強ストリップ１１は、伸張部分３においては長さ方向に沿って３２５ｍｍの間隔で、またコッドエンド部分２に沿っては２００ｍｍの間隔で配置される。コッドエンド部分２は、円周方向及び長手方向のストリップ１１、１３の両者に対してある角度を成すように本装置の外面に配置された斜め補強部材を備えることが好ましい。コッドエンド部分２を取り巻く斜め補強は、後述する後部からの持ち上げの際の、又はコッドエンド２それ自体が正面から引っ張られる際の負荷の分散の一助となる。
【００７１】
一の例示的な実施形態では、補強ストリップは、５０ｍｍのポリエステルのシートベルト帯ひもを備える。或いは、その補強ストリップは、他のナイロン及び／又はポリエステルの帯ひも、ＰＶＣ、Ｄｙｎｅｘ、又はケブラー、或いは、ストリップに成型することができ縫い付け又は溶着により上記の膜に取り付けることができるフレキシブルで強く耐摩耗性を持つ如何なる材料を備えていてもよい。上記の補強ストリップは、いかなる適切な幅でもあり得る。
【００７２】
補強ストリップ１１、１３は、フレキシブルであり、かつ膜壁４の外面に取り付けられている。上記の補強を膜壁の外面に配置することにより水生動物の補強への接触が最小となり、内部表面の平滑性が維持され、捕獲された動物への摩耗損害が最小となる。外部の補強ストリップはまた、膜壁５ｃ、６ｃ、７ｃ、８ｃ、２ｃを、底引き網漁の間には海底との摩滅から、及び／又は、船上で引っ張られる際には曳航船のエッジやデッキから保護する。
【００７３】
一の例示的な実施形態において、補強ストリップ１１、１３は本装置の壁５ｃ、６ｃ、７ｃ、８ｃ、２ｃに縫い付けられる。補強ストリップ１１、１３の材料によっては、ストリップを他の方法で取り付けることとしてもよい。例えば、ＰＶＣ補強ストリップは、外壁面５ｃ、６ｃ、７ｃ、８ｃ、２ｃに対して溶接し又は接着してもよい。
【００７４】
エントリーコーン５上及び伸張モジュール６、７、８上の各長手方向ストリップ１１の各先端は、ループ部１１ａ、１１ｂを備えている。コッド部分２の先行端の長手方向ストリップの端もループ部を備えている。本装置が組み立てられるときに、様々なセクション５、６、７、８、２は、隣接するモジュール上の長手方向補強ストリップ１１が整列するように配列される。隣接するセクション又はモジュールは、次いで、ループ１１ａ、１１ｂを通したチェーンステッチによりそれらのモジュールを一緒に縫い合わせることにより接続される。代替の実施形態では、隣接するセクションは、ジップ、クリップ、接着剤、又はタイプの異なるステッチなどの固定手段を用いて接続することとしてもよい。固定のタイプは、装置の最終用途及び容量に依存する。例えば、チェーン縫い目は、一般にジッパーより強い接続を提供し、従って、より高い容量での適用に適している。
【００７５】
逃がし機構モジュール６、８は、各々複数の逃がし機構９、１０を備えている。逃がし機構９、１０は、本装置１の選択性を改良するために、様々な水生動物の身体計測的及び行動的特徴を利用するための大きさ、形状及び位置に決められた開口を備えている。逃がし機構９、１０は、動物に対するそれらのサイズ、外観を介して、及び本装置１が水を通して曳かれる際にそれらが生みだす流速及び流れのパターンによりこの種の特徴を利用する。
【００７６】
各逃がし機構９、１０は、開口より小さい水生動物が、各逃がし機構９、１０を通って装置の内側から装置の外側に出る通過を許容する。逃がし機構は、若い又は大きさの不十分な水生動物、或いは不必要な種の通過を許容するが、商業上有用なサイズの動物の通過を阻止する大きさであることが好ましい。
【００７７】
伝統的なネットの拠り糸は研磨的であり、例えばうろこをこすり落としてしまうことにより、逃れようとする動物にしばしば損傷を与える。加えて、研磨的でありかつ頑強である伝統的なネットにおける張力のかかった拠り糸の特性は、しばしば、一旦捕らえられてしまった動物が実質的な損傷を負わずに自ら自由になることが不可能であることを意味する。対照的に、本発明の好ましい実施形態におけるフレキシブルでなめらかな不浸透性の膜壁４は、装置から脱出するに際して逃がし機構９、１０のエッジに接触する動物が被る摩耗損傷を最小にして、逃がし機構に捕えられた動物が自ら自由になるのを可能にする。例えば、開口サイズに近いホウボウのような不規則な形状の動物は、小刻みに動きながらフレキシブルな逃がし機構を通過して、全く損傷を受けずに、又は最小の損傷で自ら自由になることができる。
【００７８】
逃がし機構９、１０は、スリット、スロット又は他の開口部を備えることができ、また、真っ直ぐな及び／又は湾曲した部分を備えることができる。図１０は、幾つかの可能な例示的な逃がし機構４１、４２、４３、４５、４７を示す。逃がし機構９、４１、４２、４３、４５、４７は、逃がし機構モジュール６、８の壁３ｃ、６ｃ、８ｃにスリット、スロット又は他の開口部を開けることにより形成される。一つ又はそれ以上の如何なる逃がし機構モジュールも、異なるサイズ及び／又は異なるタイプの複数の逃がし機構を含むことができる。或いは、一つ以上のいかなる逃がし機構モジュールも、複数の同一の逃がし機構を含むことができる。壁がフレキシブルな膜を備えているので、モジュールのカスタマイズが非常に容易であり、かつ、逃がし機構の形状、大きさ及び位置を、容易に要望通りとすることができる。
【００７９】
図１０に示される逃がし機構４１、４２及び４３は、スロットタイプの逃がし機構の例である。逃がし機構４５は例示的な波型スリットタイプの逃がし機構であり、逃がし機構４７は直線スリットタイプの逃がし機構である。
【００８０】
逃がし機構が、逃がし機構モジュールの壁３ｃ、６ｃ、８ｃにスリット４５、４７により形成される場合、スリットは、スリットの端に抗裂開口４９ａ、４９ｂを備えてもよい。或いは、スリットの端は、異なる手法で、例えば縫い目によって、補強されてもよい。幾つかの実施形態、例えば、壁がリップストップ材料を備えている場合、或いはスリット４５の端が円周方向又は長手方向補強ストリップ１１、１３と一致する場合においては、補強が必要でないことがある。
【００８１】
図１１及び１２に示すように、装置がふくらむと、スリットが逃がし機構「スロット」に変形する。スリット４５、４７の両側の壁４５ａ、４５ｂ、４７ａ、４７ｂは、装置の内圧の下で開くフラップ又は「フィンガー」を形成する。「スロット」の幅は、曲線、又は「フィンガー」或いは「フラップ」の大きさにより決定される。フラップが開く程度は装置の内圧の関数であり、それはまた、次に曳航速度の関数である。従って、スリットタイプの逃がし機構４５、４７は、水流に反応し、曳航速度が速いほど大きく開口する。逃がし機構は、流速及び圧力が低下してフラップ４５ａ、４５ｂ、４７ａ、４７ｂが閉じると消滅するように見える。
【００８２】
本装置における内圧の下で、壁がしなり又は膨れ出る際に、湾曲スロット４７は使用中の直線スロット４５より容易に開口する。湾曲の程度が低い又はコード長が短いスリットは、より「堅く」、より高い圧力の下で同様には開かない。スリットの形状、例えば波型スリットの振幅は、曳航速度に対する逃がし機構の「開放性」の感度を高めるために選択することができる。この可変的な開口部は、装置をふくらます際、特に低い曳航速度において有益なことがある。低い曳航速度で閉じる逃がし機構は、曳航の終了時に、捕獲動物が逃げるのを妨げるために開口が閉じて物理的及び視覚的バリアを提供するために、本装置の回収の間に有利である。
【００８３】
逃がし機構９は、夫々のモジュール６、８の側壁６ｃ、８ｃにおける離散した領域に配置される。図１乃至図３に示す実施形態において、逃がし機構９、１０は逃がし機構モジュール６、８の頂部領域及び下部領域に設けられており、側面には逃がし機構がない。
【００８４】
図２１は、本発明の第２の例示的実施形態に係る水生動物の捕獲装置２１を例示する。本装置２１は、エントリーコーン５、直列に接続された３つの伸張モジュール６、７、２４、及びコッドエンド部分２を備える細長い伸張部分２３を伴って構成されている。伸張部分の開いた追従端２３ｂはコッドエンド部分２の開いた先行端２ａに有効に接続しており、また、伸張部分２３の開いた先行端３ａは本装置の開いた口部を形成している。
【００８５】
図２１の実施形態におけるコッドエンド部分２、エントリーコーン５、第１の伸張部分６及び拡張モジュール７は、図１乃至図４に示される第１実施形態に関して上述した通りである。図２１の実施形態では、第２の逃がし機構モジュール２４が第２の逃がし機構モジュール８に置き換えられている。
【００８６】
第２の逃がし機構モジュール２４は、拡張モジュール７の追従端に有効に接続している開いた先行端２４ａ、及び伸張部分２３ｂの追従端を形成してコッドエンド部分２の先行端に使用可能な状態で接続している開いた追従端２４ｂを備えている。逃がし機構モジュール２４は複数の開口部２５を更に備えており、それらは、本装置２１が水体を通してＴ方向に曳かれる際に、第２の逃がし機構部の先行端２４ａから第２の逃がし機構部２３ｂの追従端に向かう装置内部の水流速を下げるために本装置２１の内部から本装置２１の外部に水を通過させるための逃がし機構を形成する。
【００８７】
第２の逃がし機構モジュール２３の側壁(s)２４ｃは、実質的に水を通さないフレキシブルな膜を備えている。逃がし機構２５は、図１乃至図４の第２の逃がし機構モジュール８におけるような上部及び下部の領域ではなく、膜２３ｃの左舷及び右舷の領域に設けられている。
【００８８】
逃がし機構９、１０、２４は、選択を援助するために魚の行動的特徴を利用するように位置決めしてもよい。これは、不必要な種が引きつけられそうな領域に逃がし機構を配置することで、及び／又は異なる種が逃がし機構９、１０、２４の方へ向かい、又は、そこから離れるのを促すための所望の流れパターンを装置内に生み出すことにより達成することができる。
【００８９】
例によれば、図１乃至図７の実施形態では、逃がし機構９、１０が、逃がし機構モジュール６、８の上方及び下方の領域に配置される。逃がし機構モジュールの側部領域は、実質的に水を通さない。この例では、カマス、サメ及びホキのような遠洋の種は上に向かって泳ぎたがるため逃がし機構９、１０を通って逃げることとなり、スナッパー、ハタ、トレバリ及び金目鯛のような表層を嫌う種は逃がし機構９、１０から離れて泳ぐことで捕獲される。ホウボウ及びカレイのような深海底の魚は下部の逃がし機構９、１０を通って逃げるのを好み、しかしながら、表面を好む魚は、装置１内の流れによって上部逃がし機構の近くに穏やかに再循環されることがあり上部逃がし機構を通って逃げることができる。下部の逃がし機構はまた、底引き網漁の際に本装置が海底を長く引き摺るのを防ぐためのリフトを本装置に提供もする。
【００９０】
図２１の実施形態において、第１の逃がし機構モジュール６の逃がし機構９は上方及び下方の領域に配置され、第２の逃がし機構モジュール２４の逃がし機構２５は側部領域に対称的に配置される。カマスのような遠洋の表層を求める魚が泳ぎたがる装置の上方領域に逃がし機構が存在しないため、この種の構成は、それらの保持を増やすために用いることができる。
【００９１】
或いは、所望の適用に応じて、逃がし機構は、逃がし機構モジュールの異なる領域又は壁に配置することができる。或いは、一つ以上の逃がし機構モジュールは、そのモジュールの周辺に均一に配置された逃がし機構を備えてもよい。
【００９２】
逃がし機構の外観は、異なる種に対する逃がし機構の魅力を増減させるために修正してもよい。例えば、スリットにより形成される逃がし機構４５、４７において、スリットの側部は装置１の内圧の下で外側へ折れる「フラップ」４５ａ、４５ｂ、４７ａ、４７ｂを形成し、それらのフラップの自由端は逃がし機構に見かけの深さを与えて、逃がし機構をそれらの実際のサイズより小さく見えさせる。フラップは装置が曳かれるのに伴って揺動する。この見かけの深さと揺動フラップは、多くの種を思い留まらせる。逃がし機構の見かけの「奥行」は、従って、フラップの寸法を変えることによって変えることができる。逃がし機構のより小さい外観は逃がし機構を容易に通過することができない動物を思い留まらせるという効果を提供し、また、フラップ４５ａ、４５ｂ、４７ａ、４７ｂは、見かけの逃がし機構より大きな魚の通過の許容をもたらすことができる。
【００９３】
代替の例示的実施態様は、細長い縦方向「スパゲッティ」逃がし機構を第１の逃がし機構モジュール６に備える。これらの長い逃がし機構は、ハプカ（hapuka）のような表層を嫌う魚には回避されるが、サメには開いているように見える。長い逃がし機構は、装置１が動物で過剰に満たされてしまった場合に低損傷の「オーバフロー」ゾーンを提供することもできる。
【００９４】
逃がし機構の領域は、特定の魚種を引きつけ又は遠ざけるために色付けすることもできる。例えば、好ましい形の装置のモジュール膜の水を通さない又は密接に織られた構造は、更に選択を改善するために光の強度及び色を用いることができる。その膜は、不透明でも、多色でも、透明／半透明でもよい。カマスのような種は、それらが逃がし機構に向かい又はそこから離れ、或いは好ましい形の装置内の特定のゾーンに向かうのを許容する透明及び半透明のゾーンに強く引きつけられる。
【００９５】
逃がし機構の数は、各逃がし機構伸張モジュール６、８における逃がし機構のサイズ及び形状、並びにエントリーコーン５、Ｄ１上の掃引吸入エリアのサイズの関数である。バッグが完全に膨らんだ際の逃がし機構の総開口領域は、エントリーコーン５の先行端５ａの吸入領域の約６０％未満であることが好ましく、約５５〜６０％であることがより好ましい。掃引エントリーコーン域と比較してあまりに高い逃がし機構域は、装置の膨張を困難にする。逃がし機構域が余りに低いとコーンの前方に大きな船首波が発生し、取り付けられた如何なるネットからも動物を通過させてしまいかねない。開いた逃がし機構域が掃引エントリーコーン域の約５５％と約６０％の間であると、信頼性が高い膨張、コーン前方の最小の船首波、及び低速度及び逃がし機構域９、１０への動物の良好な輸送が一般に確保される。
【００９６】
エントリーコーン２の壁角度は、意図される底引き網速度、装置１の表面積対体積比、逃がし機構９、１０の数及びタイプ、及び搭載器材と互換性を持つことに従って選択することができる。例えば、圧力の下で開くスリットタイプの逃がし機構は、曳航速度に応じてそれらの開口を動的に変化させる。掃引領域に対する逃がし機構の比率が特定の曳航速度範囲のために設計されていれば、逃がし機構は圧力下で適当なサイズに開口する。低い曳航速度では、締めつけられた開口が流れに対する若干の抵抗を提供し、装置の膨張を援助する。使用に際して装置が膨張した際の逃がし機構９、１０の総開口域は、従来の底引き網ネットの開口域より十分に小さい。例えば、従来のネットでは、ネットの開口域又は多孔性が凡そ５０％と７０％の間となり得る。図１乃至図７に示される装置では、逃がし機構の総面積は、伸張部分３の全体の壁領域の僅か約３％である。
【００９７】
小さい逃がし機構の大きな領域が、追加された抵抗のための補償を要求することがある。
【００９８】
図示される装置を組み立てるために、エントリーコーン５、伸張モジュール６、７、８及びコッドエンド部分２が別々のブランクとして設けられる。各ブランクは、上記の通り、長手方向の縫い目に沿って対向する側部同士が接合され、コッドエンド部分の場合には追従端２ｂが封止されることにより、個別に組み立てられる。次いで、モジュール６、７、８がエントリーコーン５とコッドエンド部分２の間に直列に配列される。モジュール６、７、８は、要望に応じて如何なる順番で配列されてもよい。代替の実施形態では、例えば種捕獲についての所望の選択性又はより大きな捕獲能力を達成するために、本装置が所望の適用に適合するように構成されるように、追加の逃がし機構モジュール又は伸張モジュールを加え、或いは、図示されるモジュールに置き換えてもよい。代替の実施形態では、より少ない逃がし機構モジュールを提供することとしてもよい。
【００９９】
次に、何らかの適切な固定手段を用いて、好ましくは隣接するモジュールの補強ストリップを例えばチェーンステッチを用いて縫い合わせることにより、隣接するセクション５、６、７、８、２が接続される。装置が組み立てられた後には、一つ又は複数の内部セクションの接続を分解し必要に応じてモジュールを追加及び／又は取り外すことにより、異なる適用又は漁業のために本装置はそのカスタマイズのために容易に修正することができる。装置のこのモジュラ的な性質は、本装置の異なる適用への仕立てを容易に可能とする。
【０１００】
本装置は従来のメッシュコッドエンドに比して十分に大きな体積を装置内に提供するように大きさを設定することができ、これにより、動物対動物、動物対表面、及び動物対破片の接触が更に低減される。
【０１０１】
［装置の使用］
図１３は、海洋船舶５１の後方で曳かれる本装置１を模式的に示している。上記装置２１も同様の方法で曳かれるものとする。本装置１の先行端３ａはスイープ翼６３と有効に接続されており、また、スイープ翼はボートなどの曳航船５１にケーブル６１により接続されている。第一のステップにおいて、本装置１は、ボート５１の後部を転がり落ち、水体の中に、例えば海の中に浸漬されて、船舶５１によって水を通して曳かれる。
【０１０２】
本装置１の口部３ａを通って水が進入し、本装置の追従端へ向かう相対的な水流によって装置の中に内圧が生成され、多分に水を通さない壁により装置１は膨らんだ構成に拡張される。エントリーコーン５のテーパー状の壁５ｃは装置１が膨らむのをアシストする。装置１が曳かれることにより、水生動物が口部３ａを通って膨らんだ装置に入る。動物が逃がし機構９、１０から脱出しなければ、それらはコッドエンド部分２へ移動する。
【０１０３】
本装置１が曳かれるのに伴い、装置の長手方向に口部３ａを通って、水が装置に相対的に流れる。各逃がし機構モジュール６、８の逃がし機構９、１０を通る装置１の外部への水流が存在し、その結果、装置１内部の水の流速は、細長い伸張部分３の先行端３ａからコッドエンド部分２に向かって徐々に減少する。好ましくは、流速の異なる複数のゾーンを提供するために、コッドエンド部分２に向けて、水流速は、各逃がし機構モジュール６、８で発生する一連の制御された段階的なステップにおいて次第に低下する。これらのステップは、目標動物の物理的及び行動的な要求に対して、また、漁猟の運営に応じて仕立てることができる。
【０１０４】
図１４及び図１５は水流パターンを示すストリームラインを示しており、そして、図１６及び図１７は、３ノット（１．５４４ｍｓ−１）で曳航された際の図１乃至図１５の装置１における流体力学の計算モデルを示しており、図１９は中央軸線に沿った内圧と装置１に対する水の速度とを示すグラフである。これらのモデルは、口部３ａからコッドエンド部分２にかけて流速が徐々に減少することを示している。
【０１０５】
図１９のグラフは、装置１の先行端３ａにて、先頭の伸張モジュール６に隣接する追従端５ｂまでコーンの開口５ａからコーンが狭くなるため、中央軸線ＣＡに沿った流速がエントランスコーン５に沿って増加することを示している。流速は、それから、第１の逃がし機構モジュール６における逃がし機構９を通って水が逃げるため、そのモジュール６に沿って著しく減少する。
【０１０６】
本装置における流速は、拡張モジュール７に沿って相対的に一定かつ層状であり、またはより安定している。拡張モジュールは、捕獲の間に、中程度の水流速に収容される動物に低乱流領域を提供する。高ボリュームの漁場のために本装置の収容力を増加させるべくより長い拡張モジュール７又は複数の隣接する拡張モジュールを用いれば、中程度の速度領域をより長く提供することができる。或いは、容量を増加させるために、逃がし機構９の第一の領域に追従する伸張部分の何れかの位置に、更なるブランクの拡張モジュール、及び／又はブランクの逃がし機構のないより長い逃がし機構モジュール６、８の形で、追加の長さを加えることができる。
【０１０７】
流速は次いで、第２の逃がし機構モジュール８の逃がし機構１０を通過する際に、より多くの水がそのモジュールの逃がし機構１０を通って逃れることにより、再びに低下する。好ましい実施形態では、先行する逃がし機構モジュール６の逃がし機構９の総面積は追従する逃がし機構モジュール８の逃がし機構の総開口領域より大きく、流速の減少量は、第１の逃がし機構モジュール６において第２の逃がし機構モジュール８におけるより大きなものとなる。単なる例示に過ぎないが、一の実施形態において、先行する逃がし機構モジュール６における逃がし機構に対する実質的に水を通さない膜の領域の比率は約９３．５％であり、追従する逃がし機構モジュール８の対応する比率は約９２．３％である。他の実施形態では、その違いはより大きなものとなり得る。本装置１の前側、より高速の領域で、より大きな不必要な種が逃げられるように、第１の逃がし機構モジュール６の逃がし機構９は、第２の逃がし機構モジュール８の逃がし機構１０より大きくてもよい。
【０１０８】
最後に、流速はコッドエンド部分２において最低となる。好ましくは、本装置は、装置が水体を通して曳かれるときに、装置に対するコッドエンド部分内部の水の速度が装置外部の水の速度に対して約１０％未満であり、更に好ましくは速度装置外部の水の速度に対して約５％未満であるように構成される。一つの例として、秒速２メートルの外部水速度Ｖに対して、コッドエンド部分２内部の速度Ｖ１は秒速約０．０４〜０．１メートルであってもよい。これによれば、コッドエンド部分内部に極低乱流避難所が形成され、水生動物にリラックスした低速環境が提供される。本装置１は、逃がし機構又は逃がし機構モジュールの設計及び設置、並びに装置の寸法を修正することにより、要望に従って、コッドエンド部分内部により低い又はより高い流速が生ずるように仕立てることができる。流速を極低速とすることは、ホウボウ又はニシマトウダイのように容易に疲弊してしまう種、或いは十分に成長していない捕獲物に対する損傷を小さくするうえで有利である。
【０１０９】
コッドエンド部分２の低い流速は、底引き網魚の過程において、捕らわれた水生動物が泳ぐための低乱流避難所を提供する。これにより水生動物はリラックスすることができ、水生動物間並びに装置との衝撃が最小化される。水生動物は、水体を通って装置が曳航されるのに伴い、そのコッドエンド部分２の内部をこれに沿って容易に泳ぐことができる。
【０１１０】
図１４及び図１５に示すように、コッドエンド部分２の内部で水は循環する。この低速循環は、装置の後部が捕らえてしまうよりむしろ、更なる前方への逃がしを通じて装置内に捕らわれた瓦礫が放出されるのを許容する。例えば、砂、貝殻及び石は、放出されて海底に戻ることがある。より清浄な捕獲物を生み出すだけではなく、これにより、捕獲された動物と粗野な物体との接触が低減される。船舶に乗船している船員による捕獲物及び本装置から土砂の除去する労働も低減する。
【０１１１】
逃がし機構モジュール６、８の逃がし機構９、１０の数及び寸法は、目標の曳航速度において、拡張モジュール７及び／又はコッドエンド２内の平均流速を、夫々のセグメントに保持するべき目標の生物体の最大持続速度（臨界遊泳速度Ucrit）の範囲内の良好な値に下げるために選択される。これにより捕獲動物が疲弊し水流によって流されてしまうのを防ぐことができる。
【０１１２】
本装置１の膜の性質は、装置内部の流れのパターンを特定の選択作業に適合するものとすることができる。逃がし機構パターン、開口構成、モジュールタイプ、モジュール番号及びサイズを含む多くの設計要素は、特定の選択及び動物保持の目的を達成するために変更されることができる。
【０１１３】
本装置１の内部における平均流速は、好都合なことに、装置外部の相対流に比して常に少量である。しかしながら、本装置１に沿ったいかなる所与の位置においても、その流れは、装置の横断面に渡って一致するものではない。その代わりに、その流れは、低速流の領域とより速流の高い領域とを備えている。図１８(i)乃至図１８(iv)は伸張モジュール６、７、８及びコッドエンド２の各々を通る異なる流れの速度を例示している。
【０１１４】
図１８(i)及び図１８(iii)に示すように、逃がし機構モジュール６、８内の流れは、上方及び下方の逃がし機構９、１０に向かい、各逃がし機構９、１０の周辺に高速流１５の局所的領域を生成する。図１乃至図４の実施形態は側方に逃がし機構を備えていないため、低速流ゾーン１７又は「デッドゾーン」は、逃がし機構モジュール６、８の側部に沿って生成される。このゾーンの流れは、縦方向の速度成分が低減されているが、半径方向の速度成分が増大されている（図１４及び図１５参照）。この低速ゾーン１７は、拡張モジュール７にまで拡張されてはいるが、より不明確である。小さな動物及び泳ぐ速度の遅い生物は、相対的に速度の低い領域に集まる傾向がある。この低速の側部ゾーン１７では、相対的に小さな動物が、装置内を曳航方向Ｔに遡上することができる。低速の巡回水に起因してその小動物が逃がし機構９、１０の近傍でこれらの側部ゾーン１７を脱すると、逃がし機構の周辺の高速流は、最小の壁接触で、逃がし機構を通して直接的にその小動物を「吸引する」。
【０１１５】
第２の逃がし機構モジュール８の逃がし機構１０より小さい水生動物は、低速側部ゾーン１７に沿って、速度の低いコッドエンド部分２から前方へ泳ぐことができ、それらの逃がし機構１０を通って逃げることができる。ストリームライン７が示すように、モジュールには、小さくて弱い魚を第２の逃がし機構モジュール８の逃がし機構１０に向かわせるのを更に助ける半径方向成分が含まれている。
【０１１６】
図２２及び図２３は、第２の逃がし機構部２４に側部逃がし機構２５を有する図２１の第２実施形態の装置２１における水流を例示している。この実施形態においては、穏やかな還流は、第１実施形態の装置において見られる流れのパターンに対して９０度の向きで見ることができる。このパターンは、海面に向かって移動する強い本能を有しているカマスのような魚を保持するのに役立つ。これらの魚は、他の種が横方向の逃がし機構に向けて再循環又は直接掃出され得るのに対して、本装置の頂面に向かって戻る方向に再循環される。
【０１１７】
より大きな、より強い水生動物は、より速い流水の中を、第１の伸張モジュール６の中へと、より大きな逃がし機構９、１０まで更に前方へ向かって泳ぐことができる。それらが所与の逃がし機構より小さい場合、その動物は、その逃がし機構９、１０を通って本装置１を出ると決めることができる。
【０１１８】
本発明の実施形態では、流速が増加した領域は、幾つかの逃がし機構９、１０の近傍の非常に小さな局所的な領域に限られている。従って、捕獲された動物は、強制的に逃がし機構９、１０を通過させられるというよりはむしろ、リラックスした低ストレスの環境に保持され、逃がし機構を通って脱出するのを選択することができる。魚又は他の有機体であって逃がし機構９、１０より大きいものは、装置外部の高速流によって生み出される圧力を感じとり、逃がし機構から離れて更に装置の内部に向かって泳ぐと思われる。これは、ネット外側の流れの速度と合致させる試みとしてネット内部の流速を上昇させるためにランプ又は他の特徴を用いて逃がし機構に魚を導こうとする、逃がし機構の特徴を持つ既存の底引き網ネットと対照的である。
【０１１９】
コッドエンド２の動物が、圧壊されることなく、低速コッドエンドの中でそれらが動き回ることのできる低ストレスの状態に保たれるため、伝統的なネットのコッドエンド内に捕まってしまった魚に比して、それらは十分に長い期間に渡り本装置１の中に保持しておくことができる。これは、本発明の装置１が伝統的なネットに比して長い期間、深く保持することができ、及び／又は曳航することができることを意味しており、捕獲期間を伸張することが可能となる。例えば、１２時間を越えて、又は数日間に渡って本装置を曳航してまだ、リラックスした損傷を受けていない動物を捕獲することが可能である。仮に初期の捕獲において動物が損傷を受け又はストレスを受けたとしても、それらは、コッドエンド部分の低速流の中で回復することができる。伝統的なネットでこの種の伸張された底引きを行えば、捕獲物は酷く損傷を受けて劣化したものとなる。
【０１２０】
適量の水生動物が一旦捕獲されれば、本装置は、装置の前端３ａに有効に接続されているライン又はケーブル６１によって表面に引き上げられる。捕獲された動物を伸張された期間に渡ってコッドエンド部分２に保持することが可能であるため、深部から表面への装置の輸送をより遅い速度で制御することができる。これは、減圧損傷及び水温変化に起因する損傷を減少させる。伝統的なネットにおいては、表面までの高速移動時間に起因する損傷と、ネット内に捕獲物を保持する時間の伸張に起因する損傷とは、バランスせざるを得なかった。
【０１２１】
本装置１が表面に持ち上げられるに連れて、逃がし機構を通って水が「抜かれ」、装置内で更に前方に位置していた捕獲動物が、コッドエンドへ向けて装置内を逆行する。装置の後部は水で満ちているので、満杯の装置が水面に保持されれば、伝統的なネットと比較して、動物上の海面における波の「洗浄」効果は減少する。
【０１２２】
伝統的なネットによれば、ネットが表面に上がるにつれて魚は露出する。損傷を受けた動物や捕獲物からの破片は、鳥、アザラシ、アシカ、サメ及びオットセイのような捕食者及び清掃者を惹きつける。本システムによれば、捕獲物が表面及び船上に持ち上げられる際に、捕食者及び清掃者に対して少量しか食物が放出されないように、捕獲物が装置によって覆い隠され、かつカバーされる。捕獲物が水体内に含まれているため、これによれば、捕獲物を本来の位置で処理することができる。例えば、寄生虫又は海シラミの処理のような麻酔又は他の予防的処置は、魚を水から取り出すことなく、船舶上に捕獲物を空にする前に、コッドエンド部分２に収容されている捕獲物に対して執行することが可能となる。
【０１２３】
図２４乃至図２８は、水体から本装置１を引き上げて捕獲した収穫物を曳航船上に空にするための好ましい方法のステップを例示する。
【０１２４】
図２４に示される第一ステップにおいて、一旦装置１が水面に近づくと、船舶５１の好ましくは船尾におけるデッキ上に装置の口部が位置するように、口部３ａ又は装置に有効に接続されているケーブル又はライン６１によって、船舶５１の上まで本装置の口部３ａが前方及び上方に引かれる。本装置の先行端３ａがネット伸張部分及び／又はスイープ翼に取り付けられている場合、本装置は、上記のケーブル又はライン及びネット伸張部分及び／又はスイープ翼を介して引き上げられる。ネット伸張部分及び／又はスイープ翼もまた船舶上に持ち上げられ、装置から分離され又は装置の先行端３ａの邪魔にならない所に移動することとしてもよい。
【０１２５】
コッドエンド２の後端２ｂと、ラインを巻き取るために船舶に搭載されているウインチ、ドラム５３又は他の装置とには、少なくとも一つの後部リフトライン５５が取り付けられている。装置の後端が持ち上げられるに連れて、コッドエンド２が「折り重なり」、捕獲物及び水が装置１の開口前端から船舶上に溢れ出す。図２５乃至図２８は、コッドエンド部分の後端２ｂを引き上げることにより装置を「折り畳む」方法を例示している。コッドエンド部分の後部２ｂが上方及び前方に移動し、その結果、コッドエンド部分の後部が重なりコッドエンド部分の前部より垂直方向に高く配置される。
【０１２６】
本装置１が水体から取り外された際、水は、伝統的なネットにおけるように流出するよりむしろ、その不浸透性の壁及び閉じた端部２ｂのためにコッドエンド部分２内部に保持される。この水により水生動物は、装置が水から引き上げられた際にもコッドエンド部分内で泳ぎ続けることができ、水生動物同士の接触及び装置の壁(s)との接触が減少し、誘発ストレスが減少する。
【０１２７】
捕獲物が空にされる速度は、後部リフトライン(s)５５の巻上げ速度を制御することで制御可能である。これにより、捕獲物の安定した制御された解放が可能となり、本装置を、船舶５１上に流動的に魚を運搬する魚ポンプとして効率的に作動させることができる。これは、本装置から船舶へ捕獲物を移送するためのポンプに関する如何なる必要をも排除する。船舶上での処理速度に見合った速度で捕獲物を開放することが可能であり、それにより、動物たちが処理を待って船舶５１のデッキ上に露出される時間が低減される。
【０１２８】
動物が水と共に船上に空にされるので、水が動物を保護し、それらが空にされる際の動物同士の接触が低減される。コッドエンド部分２から流れ出る水は最低限の損傷で捕獲物を一時保管所に、又は直接船倉に流し込むために用いることができる。
【０１２９】
加えて、装置１のコッドエンド２が水で満たされているため、装置を空にする作業は、最も浮揚性のある動物が最初に解き放たれるように制御することができる。これは、フグ及びアンダーサイズの魚のような混獲物を空にする際に有利である。望まれない動物は、否なるものも次いで即座に海へと開放され、開放された魚が生存する可能性が最大化される。
【０１３０】
コッドエンド２の全体を水から持ち上げることは必要でない。コッドエンド部分２の一部を水中に保ったままコッドエンド部分２の追従端２ｂを引き上げるだけで、持ち上げられた部分からの静水圧が水の一部及び捕獲物の一部を「ポンプ」アウトするように作用する。一度にコッドエンドの全体を持ち上げる必要がないので、容量の小さなウインチを用いることが可能である。これは、満杯の装置１を安定して持ち上げて空にすることが可能であるまま、より小さい船舶をより大きな捕獲物のために用いることを可能にするという効果を提供する。これはまた、満杯の装置の重量の多くが船舶の後部を離れて吊り下げられて水中で支持されるので、船舶の周辺で盛んに撥ねる水からの自由表層効果を低減する。
【０１３１】
幾つかの漁船では、２つの好ましい形態の装置を利用するツインシステムを作動させることができる。第１の装置が空にされ捕獲物がデッキで処理されている間に、第２の捕獲物を獲得するために第２の装置を曳くことができる。第２の装置が持ち上げられて空にされ処理される際には、更なる捕獲物のために空になった第１の装置を降ろすことができる。
【０１３２】
図２８に示される最終ステップにおいて、コッドエンド部分の追従端２ｂは、装置の口部３ａの上方に持ち上げられる。ケーブル５５は完全に巻き入れられ、装置は次いで海洋船舶５１上のドラム５３の周りに保管のため巻き上げられる。装置は、如何なる硬直した固い要素も、斜め又は堅い格子要素も備えていないことが望ましい。それは、本装置の船上での取り扱いを単純化し、また、本装置が、伝統的なネットを扱うための既存の器材を用いて扱い得ること、例えば、コンパクトな保管のために船舶後部のドラムの周りに巻き上げて用い得ることを意味している。或いは、本装置は保管のために折り畳まれ又は他の方法で巻かれることもできる。
【０１３３】
代替の実施形態では、捕獲物を注ぎ出すためにコッドエンド部分２の追従端２ｂを上げるのではなくむしろ、装置１の全体と捕獲物を船舶上に手繰り上げてもよい。装置１が手繰り上げられる際に、コッドエンド部分２の水は捕獲された水生動物を保護し、これにより船舶との衝撃から水生動物が受ける損傷が最小となる。装置が船上に引かれるに連れて、コッドエンド部分２の前の本装置１の部分３はつぶれることがあり、それにより逃がし機構９、１０が実質的に閉じられる。
【０１３４】
次に、コッドエンドの前方端を解きほどき捕獲物を開放することにより、捕獲物は、コッドエンド部分２の先行端２ａから空にされることができる。或いは、捕獲物は、水生動物が装置１の内部から装置の外部へ移行できるようにコッドエンド部分２の追従端２ｂを開くことによって、空にされることができる。このような実施形態では、追従端２ｂは、例えばジップタイプ（zip-type）又はコードの取り合わせなどによって曳航の際には閉じられており捕獲物を開放する際には開かれているような、適切な特徴を備えることができる。
【０１３５】
［実験の結果及び観察］
本装置１の効果を評価するために図１乃至図４の装置１を用いて、ニュージーランドの漁場において、結果に対する信頼を確実にするために充分な回数の一連の実験的曳航が行われた。この種の開口は存在していなくてもよいが、上記装置は、拡張モジュール７の壁(s)に若干の開口を追加的に有している。上記実験的曳航のための第１及び第２の逃がし機構モジュールの逃がし機構は、エントリーコーン５ａの口部の掃入領域の５０〜６０％の総開口領域を伴う逃がし機構を有する短スロットタイプの逃がし機構４２、４３（図１０）であった。テストされた逃がし機構のサイズは、１２５ｍｍ×３５ｍｍ（掃入領域に対する開放区域の比率が６０％）、及び９０ｍｍ×３５ｍｍ（掃入領域に対する開放区域の比率が５０％）であった。
【０１３６】
業界標準の５インチメッシュのコッドエンドを装着した従来のメッシュ式底引き網を用いて、類似の状況下で対応する曳航が行われた。図２９及び図３０は、本装置１（図２９）及び従来のネット（図３０）を使用した曳航で捕獲されたニュージーランドスナッパー及びホウボウの体長分布を示す。
【０１３７】
ニュージーランドスナッパーとホウボウは異なる行動的特徴を示す。スナッパーは半遠洋で、開口が魚の寸法に対して十分に大きい場合であっても、自発的に開口を通って泳ぐことを嫌う。対照的にホウボウは深海底の種であり、かつ海面上又はその近傍で休むことに慣れている。ホウボウは、大きな頭、スパイク及び大きな胸鰭を有している。これらの特徴は、ホウボウが、従来のネットのメッシュに容易に捕らわれてしまい、従って一般に無差別な手法で捕獲されていたことを意味する。
【０１３８】
図２９及び図３０に示すように、両方法（従来のネットと比較した本発明に係る装置１）に対するサイズ保持プロフィールは著しく異なっている。
【０１３９】
従来のメッシュコッドエンドを使用した曳航においては、ホウボウとスナッパーのサイズ保持プロフィールは極めて類似している。従来のネット使用では、ホウボウの捕獲の約２２％及びスナッパーの捕獲の約１７％が体長２４ｃｍ以下であった。この結果は、従来のメッシュでは、動物の選択は物理的なふるい分けに基づくことを示している。即ち、メッシュサイズに対する動物の物理的寸法が、種に係りなく保持を決定している。従来のメッシュコッドエンドを使用した曳航においては、異なる種の形態又は行動が魚の選択に何らかの重要な影響を及ぼすようには見えない。従来の５インチのメッシュコッドエンドにおいては、幅が５インチ未満の魚は、傷を負うことなくネットを通って逃げることができるが、逃げた後でさえ、損傷又は疲労により生存しないことが珍しくない。
【０１４０】
対照的に、本装置１を使用した曳航では、ホウボウとスナッパーのサイズ保持プロフィールは非常に異なっていた。体長２４ｃｍ未満は、スナッパーでは捕獲の４３％であるに対してホウボウでは捕獲の僅か１．５％である。本装置１においては、物理的なふるい分けの効果が著しく低減されている。本装置１は、ホウボウにおける逆の挙動を支持しながら、スナッパーに表面を回避させることのできる流れの速度及びパターンを提供する。この現象は、逃がし機構９、１０の近くに穏やかに動物を再循環させる内流パターンを生じさせる伸張モジュール、逃がし機構パターン及び開口を設計することにより強化することができる。
【０１４１】
従来の曳航では、疲弊した生物体がメッシュコッドエンドバッグに蓄積される。小さな動物はメッシュを通って逃げる（又は落ちる）ことができるが、大多数は漁具、他の動物及び破片との頻繁な接触を経験する。これは、コッドエンドを伴う乱流及びこれらの状況への長い露出（概して４〜６時間であるが１２時間程度に延びることもある）により更にひどいものとなる。船舶のデッキへの移動において、魚は更なる圧縮、他の動物との接触、及び魚の処理及び取り扱い用器材との接触を被る。
【０１４２】
本装置１においては、動物の挙動を観察するために曳航中のビデオ記録が用いられた。実験的な曳航からの行動観察及び損失測定は、本装置１がこれらの欠陥の多くを緩和することを示す。
【０１４３】
本装置１内側の内部的な条件は目標とする生物体の要件に合わせて仕立てることができる。膨らんだ構造は、実質的に動物と動物の接触を減少させる。上記の低い内部乱流及び水速度は、保持された動物の疲労を低減する。通常のエネルギーレベルに近い未損傷の動物は、それ自身を保護するための知覚的行動的能力を有しており捕獲及び捕獲後の取り扱いプロセスの過程で損傷を回避する。
【０１４４】
開口９、１０は、目的の種が耐え得る値にまで水速度及び乱流を低減し、その目的の種が装置の内部で好適な場所を選択すること、又は好適なゾーンに向けて行動的に操作されることを可能とする。低い速度、低い乱流環境を提供することに加えて、本装置１内部の水流は、逃がし機構又は保持ゾーンに移動するための複数回の機会を動物が持つことを確実にするために構築することができる。本装置は、ホウボウにおける逆の挙動を支持しながら、スナッパーが表面を回避することのできる流れの速度及びパターンを提供した。
【０１４５】
実験的な曳航の間に、損傷を受けておらず、疲弊していない状態にあり、かつ低乱流、低速環境におかれたスナッパーは、膜壁に応答して、それらが持つ表面嫌悪の挙動を表すことが可能であった。同じ状況に晒されたホウボウは自発的に本装置１のフレキシブルな膜面に接近し、また、逃がし機構の近傍に入り込み、次いでそれらは、そこを通って外部に移送された。
【０１４６】
幾つかの実験的な曳航において、ビデオカメラが設置され、捕獲量及び可視性により約２〜８％の間で逃がし機構開口を視認した。このカメラからのビデオ観察データは、表面への接近及び本来の寸法より小さい開口の使用が阻止されていない他の不必要な魚種にとってのフレキシブルな逃がし機構の効果を示した。例えば、２．２時間の一つの実験的な曳航において、ビデオ観察データは、ツノザメとして知られる４０匹の小さいサメが２時間に渡り、能動的に体を小さく揺さぶりながらフレキシブルな逃がし機構を通過するのを示した。曳航の終了時にコッドエンドにはツノザメが４０匹だけ捕獲されていた。従来のコッドエンドでは、ネットに入った小さなサメの約９５％が概してコッドエンドの内部に捕獲され、捕獲されたそれらのサメがコッドエンドから開放されることはほぼ皆無であった。
【０１４７】
従来のメッシュコッドエンドの中の状況は、混沌としており、圧迫されており、また敵対的である。魚は、物理的にふるい分けられ、又はメッシュの開いた外観に惹きつけられる。対照的に、本装置１の膜における柔らかい開口は、殆どの魚をほぼ損傷を与えることなく解き放つ。この例においてホウボウは、それらが捕えられた環境に近い深さで速やかに解き放たれ、一方小さなスナッパーは、本質的に損傷を受けずに高いエネルギーの蓄積を保ったまま保持される。
【０１４８】
図３１は、図１乃至図４の装置の及び従来の５インチ・ノットレス・メッシュコッドエンドの各々を用いて捕獲した１４０匹のニュージーランドスナッパーのサンプルについて、フィン損害の量を示している。曳航期間は比較的短いものである（１２３分±１４．５ＳＤ）。装置が通常図２４乃至図２８を参照して上述した方法を用いてデッキ上に持ち上げられると同時に、捕獲物は海洋船舶のデッキ上に排出される。従ってこれは、動物が装置から空にされる際にそれらを理想的に取り扱うことで達成できる捕獲動物の損傷の更なる低減、又はより長い期間の曳航によれば発生したであろうより明白な差異を考慮に入れていない保守的な計測である。
【０１４９】
捕獲にかかる海洋生物が被った外的損傷の量は、捕獲方法の効果についての優れた非侵襲性の指標である。外的損傷は、魚対魚、魚対捕獲器具、そして魚対固い表層の接触を示す。高いレベルの外的損傷は、消耗、内的損傷、及び捕獲後の低い生存率と密接に相関する。従って、より高いレベルの外的損傷は、「捕獲物然とした」外観の損失及び製品欠陥の発生率の増加、無駄の増加、並びに最終的には低い製品価値に対して直接的に相関する。
【０１５０】
フィン損傷の評価は、捕獲の間に被る多様な外的及び内的損傷についての、特に感度に優れた強いインテグレータである。フィンは、非常にデリケートな骨質の鰭条であり帯ひも構造を組織している。それらは、非常に損傷を受け易く、しばしば、捕獲及び取扱いの間に最初に損傷を受ける組織である。
【０１５１】
各スナッパー鰭条に対する損傷は、以下の基準に従って、損傷なし、軽度の損傷、中度の損傷、有意な損傷、又は重大な損傷に分類される。
・損傷なし（スコア０）-  損傷が皆無又はフィンの末端におけるほんの小さな摺れ
・軽度（スコア１）    -  鰭条の先端の２ｍｍ未満の露出、及び端が露出した鰭条が３以下
・中度（スコア２）    -  鰭条の先端の凡そ２〜５ｍｍが露出、及び／又は３を超える鰭条の端が露出
・有意（スコア３）    -  鰭条の先端の５ｍｍ以上が露出、基部から先端までに鰭条の最大５０％の長さの裂け、又は他の損害が最小限である場合には１のみの基部までの裂け
・重大（スコア４）    -  幾つかの裂け目、基部から先端までに鰭条の５０％を超える裂け、又は何れかの鰭条に傾き或いは破損
【０１５２】
従来の５インチのコッドエンドを用いて捕獲されたスナッパーのサンプルにおける平均の損傷スコアは（４のなかの）３．７であったが、本装置１における平均損害スコアは１．８であった。図３１は、従来の５インチのコッドエンドを用いて捕獲されたスナッパーのサンプルの９８％が有意又は重大な外的損傷を有することを示している。これに対して、本発明に係る装置１を用いて捕獲されたスナッパーのサンプルでは、ほぼ半分（４６％）が損傷を受けていないか、又は経度の損傷を有するだけであった。
【０１５３】
上記の損傷スコアは、本装置１を用いて繰り返された実験的な曳航による８３３匹の動物サンプルからの、平均損傷スコアが１．７であったフィン損傷計測、並びに従来の曳航の繰り返しによる４９０匹の動物のサンプルからの、平均損傷スコアが３．５であったフィン損傷計測に密接に一致している。
【０１５４】
フィン損傷の評価に加えて、比較対象の曳航からの２０匹のニュージーランドスナッパーのサブサンプルを対象として白色筋切断面ｐＨを測定した。
【０１５５】
白色筋ｐＨ測定は、筋疲労及び筋組織のエネルギー保有量の有用な指標として役立てることができる。７．３を超える通常生理的ｐＨ値は、筋組織が実質的に休息しており、動物が精力的な運動をしていなかったことを示す。ニュージーランドでは、６．８程度のスナッパー値は中度から精力的に当たる運動を経験していた生存可能な動物を示す一方、６．５の値は、極度の、しばしば回収不能の疲労を示す。休息した筋組織は大変望ましく、首尾一貫した、欠陥のない、高値の「サシミ等級」製品を生み出す。高いエネルギー保有量は、その動物が捕獲の間にひどくもがかなかったことを示す。
【０１５６】
本装置１を用いて陸揚げしたスナッパーは、６．４〜７．３の範囲で６．７４（±０．０３ＳＥＭ）の平均白色筋ｐＨ値を示した。従来の曳航からのサブサンプルは、６．５〜６．９の範囲で６．５３（±０．０２のＳＥＭ）の平均死後筋ｐＨを示した。
【０１５７】
全体として、本装置を用いて捕獲された動物のｐＨ値が相対的に高いということは、それらの動物が従来の手法で捕獲された動物に比して一層休息が取れていることを示す。休息の取れた動物は、内的にも外的にも相対的に損傷が少なく捕獲後に解き放たれることにより高い確率で生存する。このエネルギー差は船舶上での捕獲魚の反応から明白であり、従来の手法で捕えられたスナッパーは、海洋船のデッキに放出された際に、動き回る能力を殆ど有していなかった。しかしながら、本装置１を用いて捕獲されたスナッパーは、曳航の終了時に多大なエネルギーを保有していた。
【０１５８】
この結果は、本装置１の汎用性の高さを示している。本装置１は、未だ十分に成長していない生物を、従来のメッシュに基づく装備では用いることのできない方法で選別することができる。両方法は、体長が２４ｃｍを超えるスナッパーを匹敵する数だけ捕獲した。しかしながら、本装置１は、健康な小さいスナッパーを能動的に保持した。本発明に係る装置１においてコッドエンド２内に捕獲されたアンダーサイズのスナッパーは、損傷レベルが低く、低い乱流条件のお陰で疲弊しておらずかつエネルギーの蓄えを有していた。従って、アンダーサイズのスナッパーは、装置の回収後に高い生存チャンスを持って解き放たれることができる。或いは、十分に成長していない生物は、水産養殖の養殖又は追いまきの基礎として使われることができる。これは、従来のネットで捕獲されたアンダーサイズの魚が、高い損傷と疲労レベルを経験し、解き放たれたとしても殆ど生存することがないのと対照的である。逃がし機構の代替構造によれば、小さい魚の行動的及び物理的な再命令を容易に可能にする。
【０１５９】
本発明の実施形態は、例示に過ぎない手法で上述されており、その修正は、本発明の技術的範囲から逸脱することなくそれに対してなされることができる。
【０１６０】
例えば、本装置１は、３つの伸張モジュール６、７、８及びエントランスコーン５を有する伸張部分３を有するものとして記述されている。代替として、伸張部分３は、エントリーコーンを備えていなくても、及び／又は単一の伸張部分又は直列に接続された任意数の伸張モジュールを備えていてもよい。本装置は、間隔を空けて配置された２つの逃がし機構モジュール６、８を有するものとして記述されている。代替として、本装置１は、一又は複数の逃がし機構領域を有する単一の逃がし機構モジュールだけを備えていてもよく、又は、本装置は三つ、四つ又は他の如何なる数の逃がし機構モジュールを備えていてもよい。逃がし機構モジュールは、互いに隣接してもよく、又はブランクの拡張モジュールによって分離されていてもよい。
【０１６１】
一の実施形態において、コッドエンド部分２及び伸張部分３は一体化されていてもよい。
【０１６２】
複数の伸張モジュール６、７、８を有するシステムは、様々な伸張モジュールを再編成し、置換し、取り外し及び／又は加えることにより異なる適用のためにカスタマイズすることができる。伸張モジュール６、７、８の内部横寸法は、この互換性を容易にするために全て等価物であることが好ましい。モジュールは、同じ長さであることも好ましい。しかしながら、代替としてモジュールは、異なる長さ及び／又は異なる内部寸法を有していてもよい。例えば、一つ以上の伸張モジュールは、その先行端がその追従端より大きな内部横寸法を有するようにテーパー化されていてもよい。
【０１６３】
コッドエンド２及び細長い伸張部分３は本装置が拡大された際に実質的に円筒状となるように記述されている。代替の実施形態では、コッドエンド２及び／又は伸張部分３は、装置が拡張された際に、楕円又は多角形の構成のような異なる断面構成を有していてもよい。例としては、伸張部分は、本装置が拡大された際に、実質的に、正方形、矩形、六角形又は八角形の断面構成を有していてもよい。
【０１６４】
別の例として、本装置は、装置所望の膨らんだ形状の形成を補助するために内部支柱を備えていてもよい。
【０１６５】
上記の実施形態は、所与のサイズより大きな種を保持し、小さい魚を放出するように設計されている。代替の実施形態は、所望の種について十分に成長していない生物を捕獲するように構成してもよい。そのような実施形態の一つでは、コッドエンド部分２に最も近い逃がし機構モジュール８がより小さな逃がし機構を有していてもよく、また、十分に成長していない魚を、より大きな逃がし機構モジュール及び／又は前方の逃がし機構モジュールにおける高速流高速度フローの何れからも更に離しておくために、より多くの又はより長い拡張モジュール６が備わっていてもよい。本装置の曳航速度は、成熟した又はより大きな動物が、コッドエンド部分から前方に向かって泳ぎ、前方の逃がし機構を通って逃げることができるようにより低下させることとしてもよい。
【０１６６】
上記の方法は、曳航の方法に特有である。代替として、本装置１、２１は、他の捕獲又は水産養殖方法で用いることができる。例えば、一の実施形態の方法において、本装置１、２１は、伸張部分３ａの先行端をコッドエンド部分２の上流にして、川のような流れる水体の中に静止した状態で配置され、かつ保持されてもよい。川の流れが本装置１、２１に対する相対的な水流を発生させる。
【０１６７】
従来の引き網漁において、捕獲動物に対する損傷の多くは動物がネットのコッドエンドに強制的に入れられる際に引き起こされる。代替の実施形態の方法では、例えば従来の引き網のコッドエンドを本発明に係る装置に置き換えることにより、本装置１、２１は引き網による捕獲に用いることができる。蓄積された動物を集めるために引き網及び取付けられた本装置１、２１が巻き上げられるに連れて、動物が本装置１、２１内に流入する。動物達は、それから、上述した方法の何れかを用いてそれらが本装置から回収されるまで、コッドエンド部分２に保持される。この技術は、例えばスコットランド式又はデンマーク式の引き網漁、或いは、例えばナマズを捕獲するための湖引き網漁などの様々なタイプの引き網に適している。装置のウインチ速度が遅い場合は、装置を開口させておくために本装置にフロートを装着してもよい。
【０１６８】
上記の方法は、捕獲物を本装置１、２１から海洋船舶５１上にあけて空にすることを説明している。代替として、捕獲物は、沖合保持施設のような他の配達ゾーンに、或いは陸上の基地領域に直接あけて空にしてもよい。
【図１】
0006266026.tif 000002
【図２】
0006266026.tif 000003
【図３】
0006266026.tif 000004
【図４】
0006266026.tif 000005
【図５】
0006266026.tif 000006
【図６】
0006266026.tif 000007
【図７】
0006266026.tif 000008
【図８】
0006266026.tif 000009
【図９】
0006266026.tif 000010
【図１０】
0006266026.tif 000011
【図１１】
0006266026.tif 000012
【図１２】
0006266026.tif 000013
【図１３】
0006266026.tif 000014
【図１４】
0006266026.tif 000015
【図１５】
0006266026.tif 000016
【図１６】
0006266026.tif 000017
【図１７】
0006266026.tif 000018
【図１８（ｉ）】
0006266026.tif 000019
【図１８（ｉｉ）】
0006266026.tif 000020
【図１８（ｉｉｉ）】
0006266026.tif 000021
【図１８（ｉｖ）】
0006266026.tif 000022
【図１９】
0006266026.tif 000023
【図２０】
0006266026.tif 000024
【図２１】
0006266026.tif 000025
【図２２】
0006266026.tif 000026
【図２３】
0006266026.tif 000027
【図２４】
0006266026.tif 000028
【図２５】
0006266026.tif 000029
【図２６】
0006266026.tif 000030
【図２７】
0006266026.tif 000031
【図２８】
0006266026.tif 000032
【図２９】
0006266026.tif 000033
【図３０】
0006266026.tif 000034
【図３１】
0006266026.tif 000035